(57)【特許請求の範囲】
【請求項１】
筐体と、筐体の先端面から測定点に対して所定の周波数で発光する光源からの光を測距光として送光する送光手段と、測定点で反射されて戻ってきた測距光を上記筐体の先端面で受光する受光手段とを備え、該受光手段で受光した測距光の位相と光源の発光位相との位相差に基づいて、又は、送光手段で送光した測距光が測定点で反射して受光手段で受光されるまでの時間に基づいて、上記筐体の先端面から測定点までの距離、又は、上記筐体の先端面の反対側の尾端面から測定点までの距離を測定する光波距離計において、上記筐体の尾端面を、上記測距光の光軸に直交する方向に平行な母線を有する断面円弧状の凸面に形成し、且つ、上記筐体の尾端面の母線と直交する方向に複数本の突条を設け、上記筐体の尾端面の４つの角部に、上記筐体の外側に向けて付勢され上記筐体の内側に嵌入自在な複数の脚部を設け、これら脚部を水平面に接触させることにより、上記筐体を鉛直姿勢で自立可能にしたことを特徴とする光波距離計。
【請求項２】
筐体と、筐体の先端面から測定点に対して所定の周波数で発光する光源からの光を測距光として送光する送光手段と、測定点で反射されて戻ってきた測距光を上記筐体の先端面で受光する受光手段とを備え、該受光手段で受光した測距光の位相と光源の発光位相との位相差に基づいて、又は、送光手段で送光した測距光が測定点で反射して受光手段で受光されるまでの時間に基づいて、上記筐体の先端面から測定点までの距離、又は、上記筐体の先端面の反対側の尾端面から測定点までの距離を測定する光波距離計において、上記筐体の尾端面を平面とし、上記筐体の尾端面の略中央に、上記測距光の光軸に直交する方向に長手の突条を形成し、上記筐体の尾端面の４つの角部に、上記筐体の外側に向けて付勢され上記筐体の内側に嵌入自在な複数の脚部を設け、これら脚部を水平面に接触させることにより、上記筐体を鉛直姿勢で自立可能にしたことを特徴とする光波距離計。
【請求項３】
表示部を備え、距離測定中に測定された距離のうち最小値を表示部に表示するようにしたことを特徴とする請求項１又は２に記載の光波距離計。
【発明の詳細な説明】
【０００１】
【発明の属する技術分野】
本発明は、筐体の先端面から測定点に対して測距光を送光し、先端面から測定点までの距離、又は、先端面の反対側の尾端面から測定点までの距離を測定するノンプリズム光波距離計に関する。
【０００２】
【従来の技術】
従来、上記光波距離計として、筐体の尾端面が平面に形成されたものが知られている。この光波距離計は、距離測定をする場合、例えば、床面（測定基準面）の所定位置と天井（測定点）との距離を測定する場合には、床面の所定位置に筐体の尾端面を接触させ、筐体の先端面から天井に対して測距光を送光して、床面から天井までの距離を測定している。
【０００３】
【発明が解決しようとする課題】
しかし、この従来の構造では、床面が水平な天井に対して傾斜している場合、床面に筐体の尾端面を接触させると、筐体が天井に対して傾くので、床面の所定位置から天井までの距離を正確に測定できないといった問題があった。
【０００４】
そこで本発明は、上記の問題点に鑑み、測定基準面が傾斜していても測定点までの距離を正確に測定できる光波距離計を提供することを課題とする。
【０００５】
【課題を解決するための手段】
上記課題を解決するために本発明は、筐体と、筐体の先端面から測定点に対して所定の周波数で発光する光源からの光を測距光として送光する送光手段と、測定点で反射されて戻ってきた測距光を上記筐体の先端面で受光する受光手段とを備え、該受光手段で受光した測距光の位相と光源の発光位相との位相差に基づいて、又は、送光手段で送光した測距光が測定点で反射して受光手段で受光されるまでの時間に基づいて、上記筐体の先端面から測定点までの距離、又は、上記筐体の先端面の反対側の尾端面から測定点までの距離を測定する光波距離計において、上記筐体の尾端面を、上記測距光の光軸に直交する方向に平行な母線を有する断面円弧状の凸面に形成したことを特徴とする。
【０００６】
これによれば、筐体の尾端面が断面円弧状の凸面に形成されているので、該尾端面を測定基準面に接触させながら筐体を傾動させることができ、測定された距離のうち最小のものを測定値とすることで、正確に測定点までの距離を測定することができる。
【０００７】
また、尾端面を断面円弧状の凸面に形成する代わりに、上記筐体の尾端面の略中央に、上記測距光の光軸に直交する方向に長手の突条を形成しても良い。また、上記筐体の尾端面に、筐体の外側に向けて付勢され筐体の内側に嵌入自在な複数の脚部を設け、これら脚部を水平面に接触させることにより、筐体を鉛直姿勢で自立可能にすることが好ましい。また、表示部を備え、距離測定中に測定された距離のうち最小値を表示部に表示するようにしても良い。
【０００８】
【発明の実施の形態】
図１を参照して、１は略直方体に形成されたノンプリズム光波距離計の筐体であり、筐体１の先端面１ａにはレーザー射出口２と受光レンズ３とが設けられ、上面１ｂには表示部４と操作部５が設けられている。
【０００９】
筐体１内部には、図示しないレーザーダイオード及び受光素子とＣＰＵとが備えられている。レーザーダイオードから射出された所定の周波数で発光するレーザー光は、上記レーザー射出口２から測定点に対して測距光として送光され（送光手段）、測定点で反射されて戻ってきた測距光は上記受光レンズ３を介して受光素子で受光される（受光手段）。ＣＰＵは受光素子で受光した測距光の位相とレーザーダイオードの発光位相との位相差に基づいて、図２に示された筐体の尾端面１ｃから測定点までの距離を計算し、その計算された距離を上記表示部４に表示する。
【００１０】
操作部５にはモード切替ボタン５ａと２つの電源・測距ボタン５ｂ、５ｃが設けられている。モード切替ボタン５ａは測距のモード切替をするためのボタンである。電源・測距ボタン５ｂは、筐体１の尾端面１ｃから測距点までの距離を測定するためのボタンであり、電源・測距ボタン５ｃは、筐体１の先端面１ａから測距点までの距離を測定するためのボタンである。電源・測距ボタン５ｂ、５ｃは、電源ＯＦＦの状態でボタンを押圧すると電源がＯＮされ、さらに、ボタンを押圧することにより測距が開始・継続され、押圧を解除すると測距が終了する。本実施の形態では、３つのボタン５ａ、５ｂ、５ｃのうち少なくとも１つのボタンが一定時間以上押されないと電源をＯＦＦにする、オートパワーカットオフ機能を採用している。また、電源・測距ボタン５ｂを押すと、表示部４に「ｒｅａｒ」と表示され、電源・測距ボタン５ｃを押すと、表示部４に「ｆｒｏｎｔ」と表示される。これにより、表示部４の表示によって、尾端面１ｃから測距点まで測距なのか、先端面１ａから測距点まで測距なのかがわかるようになっている。
【００１１】
筐体１の尾端面１ｃは、上記レーザーダイオードから送光される測距光の光軸に直交する方向に平行な母線を有する断面円弧状の凸面に形成されている。ここで、該断面の円弧の半径Ｒは、光波距離計の用途、要求される精度等に応じて変更しても良く、断面の円弧の半径Ｒを大きくすると、筐体１内の、内部装置を設置不可能な非有効容積を小さくすることができる。また、尾端面１ｃには、断面円弧状の凸面の母線に直交する方向に、該凸面に沿って数本の突条ｔが設けられており、該突条ｔにより、尾端面１ｃにゴミやホコリが付着しにくいようになっている。
【００１２】
図３を参照して、筐体１の尾端面１ｃの４つの角部にはそれぞれ、筐体１の内側から外側に貫通する脚穴６が設けられ、該脚穴６に、筐体の内側に嵌入自在な脚部７が備えられている。各脚部７は、脚穴６よりも大きいフランジ７１を有し、該フランジ７１が筐体１の内側の面に接触することにより、脚部７が脚穴６から筐体１外部に抜け落ちないようになっている。また、各脚部７は、筐体１内部に固定された板バネ８によって筐体１の外側に向けて付勢されている。
【００１３】
ここで、本実施の形態の光波距離計による測距について説明する。例えば、床面（測定基準面）の所定位置と天井（測定点）との距離を測定する場合、まず、操作部５の電源・測距ボタン５ｂによって光波距離計の電源をＯＮにし、モード選択ボタン５ａによって測距モードを最短距離測定モードに切り換えておく。続いて、床面の所定位置に、光波距離計を手で保持しながら筐体１の尾端面１ｃを接触させる。次に、操作部５の電源・測距ボタン５ｂを押すと、ボタンを押圧している間、レーザーダイオードからのレーザー光がレーザー射出口２から天井に対して測距光として送光され、天井のレーザーが照射されている部分が発光する。天井で反射されて戻ってきた測距光は受光レンズ３を介して受光素子で受光される。ＣＰＵは受光素子で受光した測距光の位相とレーザーダイオードの発光位相との位相差に基づいて、筐体の尾端面１ｃ、即ち床面から天井までの距離を計算し、その計算された距離を上記表示部４に表示する。ここで、電源・測距ボタン５ｂを押圧しつづけると共に、筐体１の尾端面１ｃと床面とを接触させながら筐体１を、尾端面１ｃの断面円弧状の凸面の母線に垂直な方向に傾動させると、傾動方向の２つの脚部が筐体１内部に嵌入し、床面の所定位置から天井のレーザーが照射されている部分までの距離が変化する。筐体１を適当な範囲で傾動させた後、電源・測距ボタン５ｂの押圧を解除すると、最短距離測定モードにおいては、電源・測距ボタン５ｂが押圧されている間に測定された距離のうち最小のものを表示部４に表示するようになっているため、床面の所定位置から天井までの最短距離が正確に測定される。また、常に床面と尾端部１ｃ及び少なくとも２つの脚部とが接触しているため、床面の所定位置から筐体１がずれるおそれが少ない。
【００１４】
本実施の形態においては、床面と天井との間の距離測定について説明したが、本願発明の光波距離計による距離測定はこれに限られるものではなく、対向する壁間の距離等も同様に測定することができる。また、本実施の形態では、受光手段で受光した測距光の位相と光源の発光位相との位相差に基づいて測定点まで距離を測定する、いわゆる位相差方式の光波距離計について説明したが、送光手段で送光した測距光が測定点で反射して受光手段で受光されるまでの時間に基づいて距離を測定する、いわゆるパルス方式の光波距離計であっても勿論良い。また、本実施の形態では、筐体１の尾端面１ｃを断面円弧状の凸面に形成したが、図４に示すように、筐体１の尾端面１ｃの略中央に、測距光の光軸に直交する方向に長手の突条９を形成しても、同様の作用効果が得られる。
【００１５】
【発明の効果】
以上の説明から明らかなように、本発明は、筐体の尾端面が断面円弧状の凸面に形成されているので、該尾端面を測定基準面に接触させながら筐体を傾動させることができ、測定された距離のうち最小のものを測定値とすることで、正確に測定点までの距離を測定することができる。
【図面の簡単な説明】
【図１】  筐体の先端面側からの外観斜視図
【図２】  筐体の尾端面側からの外観斜視図
【図３】  筐体の尾端面の断面図
【図４】  本願発明の他の実施の形態の尾端面を示す図
【符号の説明】
１    筐体
１ａ  先端面
１ｂ  尾端面
２    レーザー射出口
３    受光レンズ
【図１】
0004781552.tif 000002
【図２】
0004781552.tif 000003
【図３】
0004781552.tif 000004
【図４】
0004781552.tif 000005